(57)【要約】      （修正有）【課題】包装部品を簡易化し、包装作業フローを加速し、包装部品と人件費を減らすことができる包装箱の提供。【解決手段】底部収容箱体と紐体、及び嵌合箱体を具え、該底部収容箱体は収容空間と底座を具え、該底座が２片の内折支持外折片と２片の内折制圧内折片で構成され、紐体はその両端に把手が形成され、該紐体は該底座の該内折支持外折片と該内折制圧内折片の間に挟持、位置決めされ、該紐体の二つの把手が該底部収容箱体の収容空間外に延伸され、該嵌合箱体は収容室と上蓋を具え、該上蓋が２片の内折嵌合外折片と２片の内折定位内折片で構成され、各内折定位内折片に把手溝が形成されている。【選択図】図４
0003104101.tif 000002
【実用新案登録請求の範囲】
【請求項１】
底部収容箱体と紐体、及び嵌合箱体を具え、
該底部収容箱体は収容空間と底座を具え、該底座が２片の内折支持外折片と２片の内折制圧内折片で構成され、
該紐体はその両端に把手が形成され、該紐体は該底座の該内折支持外折片と該内折制圧内折片の間に挟持、位置決めされ、該紐体の二つの把手が該底部収容箱体の収容空間外に延伸され、
該嵌合箱体は収容室と上蓋を具え、該上蓋が２片の内折嵌合外折片と２片の内折定位内折片で構成され、各内折定位内折片に把手溝が形成されたことを特徴とする、包装箱。
【請求項２】
請求項１記載の包装箱において、把手溝に紐体の把手が収容されることを特徴とする、包装箱。
【請求項３】
請求項１記載の包装箱において、把手溝は内折定位内折片の一端が折り返されてナイフで折り返し部分が切削されて形成されたことを特徴とする、包装箱。
【請求項４】
請求項１記載の包装箱において、紐体がポリプロピレン、ポリエチレン、ナイロン、綿糸のいずれかで形成されたことを特徴とする、包装箱。
【請求項５】
請求項１記載の包装箱において、２片の内折支持外折片と２片の内折嵌合外折片が接着テープでシールされたことを特徴とする、包装箱。
【考案の詳細な説明】
【技術分野】
【０００１】
本考案は一種の包装箱に係り、特に各種物品の包装に適用される包装箱に関する。
【背景技術】
【０００２】
包装箱は物品を運送及び運搬するのに用いられ、その使用範囲は非常に広く、各種商品、例えば日用品、家電、家具、書籍、食品、玩具等の販売或いは運送に使用される。しかし現在、一般に使用されている包装箱はそのパーツが多く、且つほとんどは手作業で包装され、包装ステップが非常に煩瑣であり、多くの資源の浪費を形成し、且つ多くの労働力を必要とし、ゆえに包装コストを下げることができない。
【考案の開示】
【考案が解決しようとする課題】
【０００３】
本考案の主要な目的は、包装部品を簡易化し、包装作業フローを加速し、包装部品と人件費を減らすことができる包装箱の構造を提供することにある。
【課題を解決するための手段】
【０００４】
請求項１の考案は、底部収容箱体と紐体、及び嵌合箱体を具え、
該底部収容箱体は収容空間と底座を具え、該底座が２片の内折支持外折片と２片の内折制圧内折片で構成され、
該紐体はその両端に把手が形成され、該紐体は該底座の該内折支持外折片と該内折制圧内折片の間に挟持、位置決めされ、該紐体の二つの把手が該底部収容箱体の収容空間外に延伸され、
該嵌合箱体は収容室と上蓋を具え、該上蓋が２片の内折嵌合外折片と２片の内折定位内折片で構成され、各内折定位内折片に把手溝が形成されたことを特徴とする、包装箱としている。
請求項２の考案は、請求項１記載の包装箱において、把手溝に紐体の把手が収容されることを特徴とする、包装箱としている。
請求項３の考案は、請求項１記載の包装箱において、把手溝は内折定位内折片の一端が折り返されてナイフで折り返し部分が切削されて形成されたことを特徴とする、包装箱としている。
請求項４の考案は、請求項１記載の包装箱において、紐体がポリプロピレン、ポリエチレン、ナイロン、綿糸のいずれかで形成されたことを特徴とする、包装箱としている。
請求項５の考案は、請求項１記載の包装箱において、２片の内折支持外折片と２片の内折嵌合外折片が接着テープでシールされたことを特徴とする、包装箱としている。
【考案の効果】
【０００５】
本考案の包装箱は包装部品が簡単であり、且つ包装部品の用量と製造コストが低い。このほか、本考案の包装作業フローは快速であり、大幅に労働力を節約して人件費を下げることができる。さらに、本考案の包装箱は実施が容易で作業に便利であり、新規性を有している。
【考案を実施するための最良の形態】
【０００６】
本考案の包装箱は、底部収容箱体と紐体、及び嵌合箱体を具え、該底部収容箱体は収容空間と底座を具え、該底座が２片の内折支持外折片と２片の内折制圧内折片で構成され、紐体はその両端に把手が形成され、該紐体は該底座の該内折支持外折片と該内折制圧内折片の間に挟持、位置決めされ、該紐体の二つの把手が該底部収容箱体の収容空間外に延伸され、該嵌合箱体は収容室と上蓋を具え、該上蓋が２片の内折嵌合外折片と２片の内折定位内折片で構成され、各内折定位内折片に把手溝が形成されている。
【０００７】
本考案の包装箱の把手溝は該紐体の把手を収容するのに用いられ、該把手溝は任意の周知の溝形成方法で形成されうるが、好ましくはカッタで切削して形成される。該把手溝の位置に制限はなく、内折定位内折片の辺縁或いは内部に形成されうるが、好ましくは内折定位内折片の一端を折り返し、さらにナイフで折り返し部分を切削して内折定位内折片の内部に形成される。実際の使用時に、該内折制圧内折片の一端が折り返され、該紐体の把手が該把手溝に収容され、また把手溝の両側の上板が把手溝の構造強度を増して包装時の紐体の把手の引っ張りによる把手溝の変形を防止する。本考案の包装箱の紐体の材料には任意の周知の紐を製造する材料が使用されるが、好ましくは、ポリプロピレン、ポリエチレン、ナイロン、或いは綿糸が使用される。本考案の包装箱の二つの内折支持外折片と二つの内折嵌合外折片は好ましくはそれぞれ接着テープでシールされ、それにより包装箱の密閉度を高めることができる。
【実施例１】
【０００８】
本考案の包装箱は、図４に示されるように、底部収容箱体１０と紐体２０、及び底部収容箱体１０を被覆可能な嵌合箱体３０を具えている。図１から図３に示されるように、底部収容箱体１０は収容空間１１と底座１２を具え、該底座１２が２片の内折支持外折片１２１、１２２と２片の内折制圧内折片１２３、１２４で構成されている。紐体２０はその両端に把手２１、２２が形成され、該紐体２０の材料はポリプロピレン、ポリエチレン、ナイロン、或いは綿糸とされ、本実施例ではポリプロピレンが使用されている。底部収容箱体１０と紐体２０を組み合わせる時は、まず紐体２０を図１に示されるように、２片の内折制圧内折片１２３、１２４の上に置く。その後、２片の内折支持外折片１２１、１２２で紐体２０の上面を被覆し、その後、接着テープ１２５で２片の内折支持外折片１２１、１２２をシールすれば、底座１２が形成されると共に、紐体２０が底座１２の内折支持外折片１２１、１２２と内折制圧内折片１２３、１２４の間に挟持、位置決めされ、紐体２０の二つの把手２１、２２がそれぞれ底部収容箱体１０の収容空間１１外に延伸され、これは図２に示されるとおりである。その後、図３に示されるように、底部収容箱体１０を１８０度回転させて、底座１２を下向きとし、収容空間１１を露出させる。図４には本考案の嵌合箱体３０が示され、それは、収容室３１と上蓋３２を具えている（図６）。上蓋３２は２片の内折嵌合外折片３２１、３２２と２片の内折定位内折片３２３、３２４で構成され、内折定位内折片３２３、３２４の一端は折り返され、並びにナイフで折り返し部分が切削されて把手溝３２５、３２６が形成される。
【０００９】
本考案の包装箱を使用して物品、例えば内容物４０を包装する時、先ず底部収容箱体１０の収容空間１１内に緩衝材、例えば発泡緩衝材を入れて運搬時の包装箱内の物品が厳重な衝撃を受けるのを防止する。さらに内容物４０を収容空間１１内に置く。その後、図５に示されるように、内容物４０の上に緩衝材を入れ、続いて嵌合箱体３０を内容物４０と底部収容箱体１０の上に被せる。最後に把手２１、２２を把手溝３２５、３２６に掛け、続いて内折定位内折片３２３、３２４を収容室３１に向けて内に折り、さらに内折嵌合外折片３２１、３２２を内向きに折って内折定位内折片３２３、３２４の上を被覆させ、並びに接着テープ３２７で内折嵌合外折片３２１、３２２をシールすれば包装が完成する。もし更に紐或いは接着テープで接着テープ３２７に対して垂直な方向に全体の包装箱を梱包すれば、全体の包装箱の密閉度が更に高まる。
【図面の簡単な説明】
【００１０】
【図１】本考案の実施例の底部収容箱体と紐体の組合せステップ表示図である。
【図２】本考案の実施例の底部収容箱体と紐体の組合せステップ表示図である。
【図３】本考案の実施例の底部収容箱体と紐体の組合せステップ表示図である。
【図４】本考案の実施例の包装箱の組立過程表示図である。
【図５】本考案の実施例の包装箱の組立過程表示図である。
【図６】本考案の実施例の包装箱の組立完成後の表示図である。
【符号の説明】
【００１１】
１０  底部収容箱体        １１  収容空間          １２  底座
１２１  内折支持外折片    １２２  内折支持外折片  １２３  内折制圧内折片
１２４  内折制圧内折片    １２５  接着テープ
２０  紐体                ２１  把手              ２２  把手
３０  嵌合箱体            ３１  収容室            ３２  上蓋
３２１  内折嵌合外折片    ３２２  内折嵌合外折片  ３２３  内折定位内折片
３２４  内折定位内折片    ３２５  把手溝          ３２６  把手溝
３２７  接着テープ        ４０  内容物            ５０  発泡緩衝材
【図１】
0003104101.tif 000003
【図２】
0003104101.tif 000004
【図３】
0003104101.tif 000005
【図４】
0003104101.tif 000006
【図５】
0003104101.tif 000007
【図６】
0003104101.tif 000008